(57)【要約】  【課題】      大工工事や鉄骨工事等を行なう際、手元離さず携帯しておく必要のある巻尺の保持手段に関するものであって、簡便、確実に保持し得るようにするとともに、使用時における安全性の向上を図ろうとするものである。  【解決手段】  ケース体内にスケールを巻入れた構成の巻尺と、巻尺の側部に配置させるホルダーとからなり、巻尺のケース体の側部に複数個の磁石体を分割配置させるとともに、ホルダーの側部に、分割配置され各磁石体に吸着される金属部と非吸着部とを形成し、巻尺の磁石体を金属部に吸着させることによって、巻尺をホルダーに保持し得るようにする一方、巻尺を回動させた場合、磁石体が非吸着部に位置した状態となるように形成し、その状態で、巻尺をホルダーから外し得るように構成したホルダーへの巻尺の保持機構。【選択図】    図５
2006090729.tif 000002
【特許請求の範囲】
【請求項１】
ケース体３内にスケール４を巻入れた構成の巻尺１と、巻尺１の側部に配置させるホルダー２とからなり、巻尺１のケース体３の側部に、複数個の磁石体５・・を分割配置させるとともに、ホルダー２の側部に、分割配置された各磁石体５に吸着される金属部６・・と非吸着部７・・とを形成し、巻尺１の各磁石体５をホルダー２の各金属部６に吸着させることによって、巻尺１をホルダー２に保持し得るようにする一方、巻尺１を回動させた場合、巻尺１の磁石体５・・がホルダー２の非吸着部７に位置した状態となるように形成したことを特徴とするホルダーへの巻尺の保持機構。
【請求項２】
ケース体３内にスケール４を巻入れた構成の巻尺１と、巻尺１の側部に配置させるホルダー２とからなり、ホルダー２の側部に、複数個の磁石体５・・を分割配置させるとともに、巻尺１のケース体３の側部に、分割配置された各磁石体５に吸着される金属部６・・と非吸着部７・・とを形成し、ホルダー２の各磁石体５を巻尺１の各金属部６に吸着させることによって、巻尺１をホルダー２に保持し得るようにする一方、巻尺１を回動させた場合、ホルダー２の磁石体５・・が巻尺１の非吸着部７に位置した状態となるように形成したことを特徴とするホルダーへの巻尺の保持機構。
【請求項３】
巻尺１とホルダー２とを、伸縮自在の紐体８により連結したことを特徴とする請求項１、あるいは請求項２記載のホルダーへの巻尺の保持機構。
【発明の詳細な説明】
【技術分野】
【０００１】
この発明は、大工工事や鉄骨工事等の現場で使用する巻尺の保持手段に関するものである。
【背景技術】
【０００２】
大工工事や鉄骨工事を行なうような場合、寸法を測るための巻尺を頻繁に使用しなければならず、作業者の手元に絶えず保持しておく必要があるのであるが、従来は、例えば、特開平９−２２９６０２号公報に見られるように、作業者の腰ベルトに巻尺を納めるケースを取り付け、そのケースに巻尺を入れて保持し、必要なときにケースから取り出して使用するという方法や、あるいは、巻尺自体の側面部にフック金具を取り付け、使用の必要のない場合には、そのフックを作業者の腰ベルトに引っ掛けて保持するというような方法が採られているのである。
【０００３】
しかし、特開平９−２２９６０２号公報に見られるような方法を採った場合、係合部の構成が複雑になるとともに、保持させるに際に、一々、巻尺の向きや係合部の位置を確認しながら操作を行なわなければならず、保持操作が面倒であるという問題点があるのである。
【０００４】
また、多くの巻尺に採用されているように、側部にフックを取り付け、そのフックを作業者の腰ベルトに掛け止めて保持するという方法を採った場合、フックの位置さえ確認すれば、簡単に保持させ得る反面、作業者の動きや接触によって不用意に外れて落下する可能性があるのである。特に、高所で作業を行なっている場合、作業者の動きが複雑になるとともに、柱や足場等の障害物が多く存在し、巻尺を落下させる頻度が増すことになり、下で作業をしている作業者への危険性は計り知れないのである。
【発明の開示】
【発明が解決しようとする課題】
【０００５】
この発明は、大工工事や鉄骨工事等を行なう場合、手元離さず携帯しておく必要のある巻尺の保持手段に関するものであって、従来のものにみられた使用勝手の悪さを解消するとともに、使用時における安全性の向上を図ろうとするものである。
【課題を解決するための手段】
【０００６】
ケース体内にスケールを巻入れた構成の巻尺と、巻尺の側部に配置させるホルダーとからなり、巻尺のケース体の側部に複数個の磁石体を分割配置させるとともに、ホルダーの側部に、分割配置され各磁石体に吸着される金属部と樹脂等からなる非吸着部とを形成し、巻尺の磁石体を金属部に吸着させることによって、巻尺をホルダーに保持し得るようにする一方、巻尺を回動させた場合、磁石体が非吸着部に位置した状態となるように形成し、その状態で、巻尺をホルダーから外し得るように構成されており、場合によっては、巻尺とホルダーとを、伸縮自在の紐体により連結した構成となっているのである。
【０００７】
また、ケース体内にスケールを巻入れた構成の巻尺と、巻尺の側部に配置させるホルダーとからなり、ホルダーの側部に、複数個の磁石体を分割配置させるとともに、巻尺のケース体の側部に、分割配置された各磁石体に吸着される金属部と樹脂等からなる非吸着部とを形成し、ホルダーの磁石体を巻尺の金属部に吸着させることによって、巻尺をホルダーに保持し得るようにする一方、巻尺を回動させた場合、ホルダーの磁石体が巻尺の非吸着部に位置した状態となるように形成し、その状態で、巻尺をホルダーから外し得るように構成されており、場合によっては、巻尺とホルダーとを、伸縮自在の紐体により連結した構成となっているのである。
【発明の効果】
【０００８】
この発明に係るホルダーへの巻尺の保持機構は、上記のような構成であって、ホルダーを作業者の腰に装着しておくことにより、巻尺の配置方向等を意識することなく、巻尺の側部をホルダーに近づけるというワンタッチ操作によって確実に保持させることが出来るとともに、落下を確実に防止し得る強力な磁石を使用した場合でも、巻尺に手を当てがって僅かに回動させるだけで、ホルダーから簡単に取り外しという便利があるのである。
【０００９】
また、巻尺側に磁石体を取り付けた構成とした場合、高所で鉄骨工事等を行なう際に、一時的に鉄骨材に吸着させて保持させておくことが可能となり、作業中に巻尺を見失ったり、不用意に落下させるとういようなことを防止し得るという利点があり、また、ホルダーと巻尺とを伸縮自在の紐体で連結することにより、高所からの巻尺の落下を確実に防止し得るという利点がるのである。
【実施例】
【００１０】
図面に基づいて、この発明の実施例を説明すると、ケース体３内にスケール４を巻入れた構成の巻尺１と、巻尺１の側部に配置させるホルダー２とからなり、巻尺１のケース体３の側部に複数個の磁石体５・・を分割配置させるとともに、ホルダー２の側部に、分割配置され各磁石体５に吸着される金属部６・・と樹脂等からなる非吸着部７とを形成し、巻尺１の磁石体５を金属部６に吸着させることによって、巻尺１をホルダー２に保持し得るようにする一方、巻尺１を回動させた場合、磁石体５・・が非吸着部７に位置した状態となるように形成した構成となっているのである。
【００１１】
すなわち、巻尺１は、図１に示す通り、ケース体３内にスケールを巻き入れるとともに、前面下端部に形成した切り込み部から、スケール４を引き出し得る構成となっており、側面部に、４個の磁石体５を埋め込んだ樹脂円盤８を取り付けた固定した構成となっており、また、下方の隅部にリング装着部９が形成された構成となっているのである。
【００１２】
ホルダー２は、図２ないし図５に示す通り、裏面側に作業用ベルトを挿通させる間隙部１０を形成するとともに、前面部に、巻尺１に取り付けた円盤８を嵌合させ得る形の凹部１２が形成されており、該凹部１２の底面部には、「十」字状の凹部１３が形成された構成となっており、該凹部１２には、略同形に形成した「十」字状の金属板１４が嵌合固定された構成となっており、また、前板部の下方部には、リング装着孔１７が形成された構成となっているのである。これにより、「十」字状の金属板１４の各枝分かれ部が、磁石体５の吸着部６・・となるとともに、各枝分かれ部と枝分かれ部との間の樹脂部が非吸着部７・・となるのである。これにより、巻尺１をホルダー２の前面側に近づけた場合、４個の各磁石体５・・が、吸着部６・・（「十」字状金属板の各枝分かれ部）に吸着して固定状態となる一方、巻尺１を４５度程度回動させた場合、各磁石体５・・は、非吸着部７・・に位置した状態となり、巻尺１をホルダー２から簡単に取り外し得る状態になるのである。
【００１３】
上記は、巻尺１の円盤部に磁石体５・・を配置させる一方、ホルダー２の凹部の底部に吸着部６・・を配置した場合の実施例であるが、巻尺１の円盤部８に吸着部６・・を形成する一方、ホルダー２に磁石体５・・を配置させた構成とすることも可能である。また、上記の実施例は、４個の磁石体５・・を配置し、吸着部６を「十」字状の金属板により形成した場合の実施例であるが、磁石体の数は複数個であれば足りるし、「十」字状の金属板を使用することなく、金属板を分割配置した構成とすることも可能である。
【００１４】
紐体８は、中間部にコイル巻部１９を形成したワイヤーの表面に樹脂コーティングを施すとともに、その両端部にリング金具１５・１６を取り付けた構成となっており、図５に示す通り、リング１５を巻尺１のリング装着部９に係留させるとともに、他方側のリング１６をホルダー２に形成されたリング装着孔１７に係留させることによって、巻尺１とホルダー２とを伸縮自在の紐体８によって連結した構成となっているのである。
【図面の簡単な説明】
【００１５】
【図１】巻尺の構成を示す斜視図である。
【図２】ホルダーの構成を示す斜視図である。
【図３】ホルダーの構成を示す分解斜視図である。
【図４】ホルダーの構成を示す斜視図である。
【図５】ホルダーへの巻尺の装着要領を示す斜視図である。
【符号の説明】
【００１６】
１    巻尺
２    ホルダー
３    ケース体
４    スケール
５    磁石体
６    金属部
７    非吸着部
８    紐体
【図１】
2006090729.tif 000003
【図２】
2006090729.tif 000004
【図３】
2006090729.tif 000005
【図４】
2006090729.tif 000006
【図５】
2006090729.tif 000007